(57)【要約】【課題】大規模ネットワークにおいて、効率的なネットワーク運用管理とネットワーク監視のネットワーク負荷低減を実現すること。【解決手段】  拠点毎に通信機器を監視および制御する管理エージェントを配置し、ネットワーク管理システムは、管理エージェントを監視および管理することで、ネットワーク管理システムのユーザインタフェースを統一するとともに、ネットワーク負荷の低減を行なう。【選択図】図１
2008117096.tif 000002
【特許請求の範囲】
【請求項１】
複数の通信機器が相互に接続されて構成される拠点ノードネットワーク同士が、広域通信網を介して接続された大規模ネットワークにおいて、前記広域通信網に接続され、前記大規模ネットワークの各拠点ノードネットワークを管理するネットワーク管理システムであって、
前記拠点ノードネットワークのそれぞれに、前記複数の通信機器を制御する管理エージェントを配置し、該管理エージェントは、前記複数の通信機器の情報を収集して管理し、
前記ネットワーク管理システムは、前記管理エージェントを監視することで、前記それぞれの拠点ノードネットワークの複数の通信機器を管理することを特徴とするネットワーク管理システム。
【請求項２】
前記管理エージェントは、前通信機器の状態を収集し、前記管理エージェントの状態として管理し、前記管理エージェントの状態として前記ネットワーク管理システムに通知することを特徴とする請求項１に記載のネットワーク管理システム。
【請求項３】
前記ネットワーク管理システムは、前記管理エージェントに対し予め決められた信号で指示を出し、前記ネットワーク管理システムからの指示により、前記管理エージェントは前記複数の通信機器の制御を行なうことを特徴とする請求項１に記載のネットワーク管理システム。
【請求項４】
複数の通信機器が相互に接続されて構成される拠点ノードネットワーク同士が、広域通信網を介して接続された大規模ネットワークにおいて、前記大規模ネットワークの各拠点ノードネットワークを管理するネットワーク管理方法であって、
前記拠点ノードネットワークのそれぞれに、前記複数の通信機器を制御する管理エージェントを配置し、該管理エージェントは、前記複数の通信機器の情報を収集して管理し、
前記管理エージェントを監視することで、前記それぞれの拠点ノードネットワークの複数の通信機器を管理することを特徴とするネットワーク管理方法。
【請求項５】
前記管理エージェントは、前通信機器の状態を収集し、前記管理エージェントの状態として管理し、前記管理エージェントが通知する前記状態の情報を管理することにより前記拠点ノードネットワークの複数の通信機器を管理することを特徴とする請求項４に記載のネットワーク管理方法。
【請求項６】
前記管理エージェントに対し予め決められた信号で指示を出し、前記管理エージェントは前記複数の通信機器の制御を行なうことを特徴とする請求項４に記載のネットワーク管理方法。
【発明の詳細な説明】
【技術分野】
【０００１】
本発明は、ネットワーク管理システムおよびネットワーク管理方法に関し、特に、ルータおよびスイッチ等の異なる複数の通信機器で構成される複数の拠点が、広域通信網で接続されている大規模ネットワークのネットワーク管理システムおよびネットワーク管理方法に関する。
【背景技術】
【０００２】
従来、通信機器の監視は、ＲＦＣ１１５７で定義されているＵＤＰ／ＩＰをベースとしネットワークに接続された機器を監視するためのプロトコル（ＳＮＭＰ（Ｓｉｍｐｌｅ Ｎｅｔｗｏｒｋ Ｍａｎａｇｅｍｅｎｔ Ｐｒｏｔｏｃｏｌ））で行なうことが一般的である。ＳＮＭＰは、管理する側のＳＮＭＰマネージャと管理される側のＳＮＭＰエージェント（機器に実装）で構成される。ＳＮＭＰでは個々の通信機器のＳＮＭＰエージェントからトラップを受信し、ＭＩＢ（Ｍａｎａｇｅｍｅｎｔ Ｉｎｆｏｍａｔｉｏｎ Ｂａｓｅ）と呼ばれる機器の状態を表す管理情報を、個々の通信機器に実装されているＳＮＭＰエージェントから収集し管理する。
また、エージェントとマネージャの間にサブマネージャをおき、サブマネージャが自階層化のエージェントから収集したエージェントのＭＩＢ情報をマネージャに通知する方式として、特許文献１がある。
通信機器の制御に関しては、ネットワーク管理システムからＴｅｌｎｅｔ（ＲＦＣ８５４）やＨＴＴＰ（ＲＦＣ１９４５、ＲＦＣ２６１６）、ＦＴＰ（ＲＦＣ９５９）、ＳＮＭＰなどで個々の通信機器に直接接続し、各通信機器固有の制御インタフェースを用いて制御している。
【０００３】
【特許文献１】特開２００２−１４０２４０号
【発明の開示】
【発明が解決しようとする課題】
【０００４】
従来の通信機器の監視においては、拠点数が多い大規模ネットワークにおいては、個々の通信機器を直接監視する場合、ネットワーク管理システムも大規模になり、管理も複雑になる。また、ネットワーク管理用のネットワーク負荷やネットワーク管理ソフトウェアのライセンス費用も膨大となることも課題である。
また、従来の通信機器の制御においては、管理者がＴｅｌｎｅｔやＨＴＴＰ、ＦＴＰ、ＳＮＭＰ等で各通信機器に直接接続して、各通信機器固有の制御インタフェースを用いて制御しているため、管理者が各機器の管理用アドレスと制御コマンドを意識して制御を行なう必要があることが課題である。
【０００５】
本発明は、上記課題を解決するためになされたもので、大規模ネットワークにおいても、効率的なネットワーク運用管理とネットワーク監視のネットワーク負荷低減を実現できるネットワーク管理システムおよびネットワーク管理方法を提供することを目的とする。
【課題を解決するための手段】
【０００６】
上記課題を解決するため、本発明では、拠点毎にルータやスイッチ等の通信機器の監視および制御を可能とする管理エージェントを配置し、ネットワーク管理システムから監視する場合には、複数の通信機器を意識させず、管理エージェントのみを監視するようにした。各通信機器の制御を行なう場合には、ネットワーク管理システムは、管理エージェントに対して指示を行い、管理エージェントが各通信機器に対して制御コマンドを実行し結果のみをネットワーク管理システムに通知する。
より詳細には、管理エージェントは、各通信機器の状態を監視するためのＳＮＭＰマネージャとネットワーク管理システムに管理エージェントの状態を提供するためのＳＮＭＰエージェントと、収集した各通信機器の状態を管理エージェントのＭＩＢにマッピングする機能を有し、重大な障害等については、ネットワーク管理システムにトラップを送信する機能を有するようにした。またネットワーク管理システムは管理エージェントのみを監視、管理エージェントからのトラップを受信する機能と管理エージェントの状態（ＭＩＢ）を収集する機能と管理エージェントの状態が変化した場合、管理エージェントの状態を更新する機能を有するようにした。
また、管理エージェントは、各通信機器を制御するための通信プロトコル（ＴＥＬＮＥＴ、ＨＴＴＰ、ＦＴＰ、ＳＮＭＰ等）と、ネットワーク管理システムからの要求を受信する機能と要求に対する応答を送信する機能と、ネットワーク管理システムからの要求と各通信機器へのコマンドをマッピングした一覧を有するようにした。ネットワーク管理システムは、ユーザインタフェースから入力された操作と管理エージェントに送信する信号をマッピングした一覧と、管理エージェントへの要求を送信する機能と要求に対する応答を受信する機能を有するようにした。
【発明の効果】
【０００７】
本願発明によれば、管理エージェントを各拠点に配置することで、ネットワーク管理システムの運用管理者が、各拠点ノードの通信機器の構成を意識しない、また各通信機器固有の監視および制御インタフェース（コマンド等）を意識しない管理が実現できる。また、ネットワーク管理システムは、各拠点の管理エージェントのみを監視および制御することで、ネットワーク管理システム−各拠点間のネットワーク監視によるネットワーク負荷の低減を実現できる。本発明は、特に各拠点の通信機器の構成が全て同様の構成、または数パターンの構成の場合に、その効果は大きくなる。
【発明を実施するための最良の形態】
【０００８】
以下、本発明の実施形態について、図面を参照して詳細に説明する。
【０００９】
図１は、本発明の一実施形態のネットワーク管理システムを適用するネットワークの構成例を示す図である。
図1に示すように、本発明の一実施形態のネットワーク管理システムを適用するネットワークは、例えば異なる複数の通信機器からなる複数の拠点ノードが広域通信網で繋がっているような大規模ネットワークである。通信機器の監視および制御を行なうネットワーク管理システムを示す構成図である。図１において、拠点ノード１２１、１２２は、ルータ１３１、１３２やスイッチ１４１、１４２等の異なる複数の通信機器とそれらを管理する管理エージェント１５１、１５２から構成され、広域通信網１１１を介して通信を行なう。ネットワーク管理システム１０１は、広域通信網を介して、拠点ノードの監視および制御を行なう。
【００１０】
図２は、本発明の一実施形態のネットワーク管理システム１０１の機能ブロックを示す機能ブロック図である。ネットワーク管理システム１０１は、拠点ノードの状態を管理および表示する拠点ノード状態表示部２０１と、拠点ノードの制御を行なう拠点ノード制御部２０２と、拠点ノードの管理エージェントのアドレスやコミュニティ名等の基本情報を登録する拠点ノード基本情報テーブル２０３と、拠点ノードの構成および拠点ノード制御部２０２からの制御信号と拠点ノードに対して指示する制御信号の対応を示す制御対応テーブル２０４と、拠点ノードの監視を行なうＳＮＭＰマネージャ２０５と、各拠点ノードの状態を格納する各拠点ノード状態格納データベース２０６から構成される。
【００１１】
図３は、本発明の一実施形態の管理エージェント１５１、１５２の機能ブロックを示す機能ブロック図である。管理エージェント１５１、１５２は、拠点ノード内の各通信機器を制御する通信機器制御部３０１と、拠点ノード内通信機器のアドレスやログインＩＤ、パスワード等を登録する通信機器基本情報テーブル３０２と、ネットワーク管理システム１０１からの制御信号と、各通信機器を制御するためのプロトコルやコマンド等の対応を示す通信機器制御対応テーブル３０３と、各通信機器のポート番号とネットワーク管理システムで管理しているポート番号の対応テーブル３０４と、拠点ノード内の各通信機器を監視するＳＮＭＰマネージャ３０５と、拠点ノードの状態通知や拠点ノードの状態を管理するＳＮＭＰエージェント３０６と、拠点ノード内の各通信機器の状態や管理エージェントの状態を格納する拠点ノード状態格納データベース（ＭＩＢ）３０７から構成される。
【００１２】
図４は、拠点ノードの稼動状態を示す拠点ノード稼動状態画面の例である。拠点ノード稼動状態画面４０１は、複数スイッチの各ポートを拠点ノードのＬＡＮ側ポートとして連番で表示するなど、拠点ノード内の各通信機器を意識させないよう表示する。
図５は、拠点ノードを制御するための拠点ノード制御画面の例である。拠点ノード制御画面５０１は、コンフィグ転送やプログラム転送など、拠点ノード内の各通信機器を意識させないよう表示する。
【００１３】
図６は、ネットワーク管理システムにおいて、拠点ノードのアドレス等の基本情報を登録する拠点ノード基本情報テーブルである。拠点ノード基本情報テーブル２０３は、拠点ノード番号６０１と管理エージェントアドレス６１２とコミュニティ名６０３から構成される。
図７は、ネットワーク管理システムにおいて、拠点ノード制御画面で操作された内容と拠点ノードの管理エージェントに支持する制御信号の対応を示した拠点ノード制御対応テーブルである。拠点ノード制御対応テーブル２０４は、制御ＩＤ７０１と、操作に対応する管理エージェントのオブジェクトＩＤ７０２、７０３、７０４と前記オブジェクトＩＤ７０２、７０３、７０４に設定する設定値７０５、７０６、７０７から構成される。
【００１４】
図８は、各拠点ノードの状態を格納するための各拠点ノード状態格納データベースである。各拠点ノード状態格納データベース２０６は、拠点ノード番号８０１と、拠点ノード稼動状態８０２から構成される。
図９は、拠点ノードの各通信機器を制御するための通信機器制御部の機能ブロックを示した機能ブロック図である。通信機器制御部３０１は、ネットワーク管理システム側からの指示で各通信機器を制御する通信機器制御機能９０１と、各通信機器を制御するためのプロトコルであるＴｅｌｎｅｔ９１１、ＨＴＴＰ９１２、ＦＴＰ９１３、ＳＮＭＰ９１４等から構成される。
【００１５】
図１０は、拠点ノードを構成する各通信機器の機器アドレスやコミュニティ名等の登録をする通信機器基本情報テーブルである。通信機器基本情報テーブル３０２は、機器ＩＤ１００１と、機器種別１００２と、機器アドレス１００３と、コミュニティ名１００４と、ログインＩＤ１００５と、パスワード１００６から構成される。
図１１は、ネットワーク管理システムからの制御指示と、拠点ノードを構成する各通信機器を制御するためのプロトコルやコマンドを対応付けるための通信機器制御対応テーブルである。通信機器制御対応テーブル３０３は、制御ＩＤ１１０１と、機器ＩＤ１１０２と、制御するためのプロトコル１１０３と、制御指示に対応するコマンド１１０４から構成される。
【００１６】
図１２は、各拠点ノード内の各機器のポート番号と、ネットワーク管理システム側で仮想的に管理しているポート番号を対応づける通信機器ポート番号対応テーブルである。通信機器ポート番号対応テーブル３０４は、機器ＩＤ１２０１と、機器の物理ポート番号１２０２と、ネットワーク管理システムで管理している仮想ポート番号１２０３から構成される。
図１３は、拠点ノードの各通信機器を管理する管理エージェントの拠点ノード状態格納データベースである。拠点ノード状態格納データベース（ＭＩＢ）３０７は、ＲＦＣ１２１３で定義されるＭＩＢ−２のprivateサブツリーのenterpriseグループ以下に持つこととする。拠点ノード状態格納データベース（ＭＩＢ）３０７は、オブジェクトＩＤ１３０２と、設定値１３０３で構成される。拠点ノード状態格納データベース（ＭＩＢ）３０７には、各通信機器から収集した各通信機器の稼動状態１３０６、１３０７、１３０８と、各通信機器の稼動状態１３０６、１３０７、１３０８から拠点ノードの稼動状態を纏めた管理エージェント稼動状態１３０５と、ネットワーク管理システムから制御指示を受けるための管理エージェント制御１３０４が登録される。
【００１７】
図１４は、ネットワーク管理システムが拠点ノードの周期監視を行なうシーケンスである。拠点ノードのＳＮＭＰマネージャ３０５は、拠点ノード内の各通信機器に対しＧｅｔＲｅｑｕｅｓｔまたはＧｅｔＮｅｘｔＲｅｑｕｅｓｔメッセージで情報取得を要求する（１４０１）。情報取得要求を受信した各通信機器は、要求された情報を取得し内容を拠点ノードのＳＮＭＰマネージャ３０５にＧｅｔＲｅｓｐｏｎｓｅメッセージで通知する（１４０２）。拠点ノードのＳＮＭＰマネージャ３０５は、通知された情報を拠点ノード状態格納データベース（ＭＩＢ）３０７へ格納する（１４０３）。
【００１８】
例えば、スイッチ１のポート０が障害の場合、図１７のようにスイッチ１の状態を更新すると共に、管理エージェントのＬＡＮ側ポート０の状態も更新する。物理ポートと仮想ポートの対応は、図２３をもとに対応付けて更新する。拠点ノードのＳＮＭＰマネージャ３０５は、情報取得の要求を定期的に実施する。また、ネットワーク管理システムのＳＮＭＰマネージャ２０５は、各拠点ノードのＳＮＭＰエージェント３０６に対しＧｅｔＲｅｑｕｅｓｔまたはＧｅｔＮｅｘｔＲｅｑｕｅｓｔメッセージで管理エージェントの状態情報取得を要求する（１４０４）。情報取得要求を受信した各拠点ノードのＳＮＭＰエージェント３０６は、要求された情報を拠点ノード情報格納データベース（ＭＩＢ）３０７の管理エージェント状態１３０５から状態を取得し内容をネットワーク管理システムのＳＮＭＰマネージャ２０５にＧｅｔＲｅｓｐｏｎｓｅメッセージで通知する（１４０５）。
【００１９】
ネットワーク管理システムのＳＮＭＰマネージャ２０５は、通知された情報を各拠点ノード状態格納データベース２０６へ格納する（１４０６）。ネットワーク管理システムのＳＮＭＰマネージャ２０５は、情報取得要求を定期的に実施する。図１８にスイッチ１のポート０が障害の場合の各拠点ノード状態格納データベース２０６を示す。
【００２０】
図１５は、拠点ノードがネットワーク管理システムに拠点ノードの状態変化を通知する場合のシーケンスである。拠点ノード内の各通信機器は、自機器の状態変化をＴｒａｐメッセージで拠点ノード内のＳＮＭＰマネージャ３０５に通知する（１５０１）。Ｔｒａｐメッセージを受信した拠点ノード内のＳＮＭＰマネージャ３０５は、通信機器の状態変化を拠点ノード状態格納データベース（ＭＩＢ）３０７に格納する（１５０２）。拠点ノード内のＳＮＭＰエージェント３０６は、拠点ノード状態格納データベース（ＭＩＢ）３０７の管理エージェント状態１３０５を常時監視し（１５０３）、拠点ノードに状態変化があった場合、拠点ノード状態変化をＴｒａｐメッセージでネットワーク管理システムのＳＮＭＰマネージャ２０５に通知する（１５０４）。Ｔｒａｐメッセージを受信したネットワーク管理システムのＳＮＭＰマネージャ２０５は、拠点ノードの状態変化を各拠点ノード状態格納データベース２０６に格納（１５０５）し、拠点ノード状態表示部２０１に対し、拠点ノード状態表示更新を支持する（１５０６）。拠点ノード状態表示更新の支持を受信した拠点ノード状態表示部２０１は、拠点ノードの状態表示を更新する（１５０７）。
【００２１】
図１６は、ネットワーク管理システムから拠点ノードを制御する場合のシーケンスである。
ネットワーク管理システムおよび拠点ノードの各テーブルが図１９〜図２４の通りに登録されている場合に、例えば、拠点ノードＡＡＡＡのＬＡＮ側ポート５（Ｌ５）を閉塞する（制御ＩＤ：ａａａ）場合の動作を以下に示す。ネットワーク管理システム１０１の拠点ノード制御部２０２は、本操作の制御ＩＤ（ａａａ）と図１９の拠点ノード基本情報テーブル２０３から管理エージェントアドレス６０２（ＡＡＡ．ＡＡＡ．ＡＡＡ．１）とコミュニティ名６０３（ｐｕｂｕｌｉｃ）をパラメータとし、ネットワーク管理システム１０１のＳＮＭＰマネージャ２０５に対して、拠点ノード制御指示を行なう（１６０１）。
【００２２】
拠点ノード制御指示を受信したＳＮＭＰマネージャ２０５は、図２０の拠点ノード制御対応テーブル２０４から制御ＩＤ７０１（ａａａ）に対するＯＩＤ７０２（１．３．６．１．４．１１６．[製品識別子]．２）と設定値７０５（Ｌ５）を取得し、管理エージェントのＳＮＭＰエージェント３０６に対して、図２４の制御ＩＤに対応するＯＩＤ（１．３．６．１．４．１１６．[製品識別子]．１）に対し制御ＩＤ７０１（ａａａ）と、設定値１（１．３．６．１．４．１１６．[製品識別子]．２）に対し設定値７０５（Ｌ５）の設定をする、拠点ノード状態更新指示（ＳｅｔＲｅｑｕｅｓｔ）を行なう（１６０２）。
【００２３】
拠点ノード状態更新指示を受信したＳＮＭＰエージェント３０７は、図２４の拠点ノード状態格納データベース（ＭＩＢ）３０８の指定されたＯＩＤに設定値を設定し（１６０３）、ネットワーク管理システムのＳＮＭＰマネージャ２０５に対して、拠点ノード状態変更結果を通知（ＧｅｔＲｅｑｕｅｓｔ）を行なう（１６０４）。管理エージェントの通信機器制御部３０１は、常時、図２４の拠点ノード状態格納データベース（ＭＩＢ）３０８の制御ＩＤの状態変化を監視し（１６０５）、状態に変化があった場合、変化した制御ＩＤと設定値を読み取り、各通信機器に対して、通信機器制御コマンドを実行する（１６０６）。
【００２４】
通信機器制御コマンドは、図２４の拠点ノード状態格納データベース（ＭＩＢ）３０８の制御ＩＤ（ａａａ）に対応する図２２の通信機器制御対応テーブル３０３の機器ＩＤ１１０２（Ｙ２）に対し、図２１の通信機器基本情報テーブル３０２の制御ＩＤ１００１（Ｙ２）に対するログインＩＤ１００４（ｈｉｔａｃｈｉ）、パスワード１００５（ｈｉｔａｃｈｉ）で、プロトコル１１０３（Ｔｅｌｎｅｔ）で接続し、図２３の通信機器ポート番号対応テーブル３０３の仮想ポート番号１１０３（Ｌ５）に該当する機器ＩＤ１１０１（Ｙ２）の物理ポート１１０３（Ｂ１）をコマンド１１０４（ｓｈｕｔｄｏｗｎ）で閉塞する。
【００２５】
コマンドを受信した各通信機器は、コマンドを実行しコマンド実行結果を応答する（１６７０７）。コマンド実行結果の応答を受信した管理エージェントの通信機器制御３０１は、管理エージェントのＳＮＭＰエージェント３０７に対して、コマンド実行結果を通知する（１６０８）。コマンド実行結果を受信したＳＮＭＰエージェント３０７は、ネットワーク管理システムのＳＮＭＰマネージャ２０５に対して、コマンド実行結果を通知（Ｔｒａｐ）する（１６０９）。Ｔｒａｐを受信したＳＮＭＰマネージャ２０５は、コマンド実行結果を拠点ノード制御部にコマンド実行結果を通知する（１６１０）。
【００２６】
最後に、本実施の形態の特徴点をまとめる。
管理エージェントを各拠点に配置することで、ネットワーク管理システムの運用管理者が、各拠点ノードの通信機器の構成を意識しない、また各通信機器固有の監視および制御インタフェース（コマンド等）を意識しない管理を行なう。ネットワーク管理システムは、各拠点の管理エージェントのみを監視および制御することで、ネットワーク管理システム−各拠点間のネットワーク監視によるネットワーク負荷が低減される。また、通信機器を意識しない統一ユーザインタフェースを提供する。
【図面の簡単な説明】
【００２７】
【図１】本発明の一実施形態のネットワーク管理システムを適用するネットワークの構成例を示す図である。
【図２】本発明の一実施形態のネットワーク管理システムの機能ブロック図である。
【図３】管理エージェントの機能ブロックを説明する図である。
【図４】拠点ノードの状態表示画面の一例を示す図である。
【図５】拠点ノードの制御画面の一例を示す図である。
【図６】拠点ノードの基本情報テーブルの一例を示す図である。
【図７】拠点ノードの制御対応テーブルの一例を示す図である。
【図８】各拠点ノード状態格納データベースの一例を示す図である。
【図９】通信機器制御部機能ブロックを説明する図である。
【図１０】通信機器基本情報テーブルの一例を示す図である。
【図１１】通信機器制御対応テーブルの一例を示す図である。
【図１２】通信機器ポート番号対応テーブルの一例を示す図である。
【図１３】拠点ノード状態格納データベース（ＭＩＢ）の一例を示す図である。
【図１４】拠点ノード周期監視処理のシーケンスを説明する図である。
【図１５】拠点ノードＴｒａｐ処理のシーケンスを説明する図である。
【図１６】通信機器制御処理のシーケンスを説明する図である。
【図１７】拠点ノード状態格納データベース（ＭＩＢ）（ＬＡＮポート障害時）の一例を示す図である。
【図１８】拠点ノード格納データベース（ＬＡＮポート障害時）の一例を示す図である。
【図１９】拠点ノード基本情報テーブル（拠点ノード制御時例）の一例を示す図である。
【図２０】拠点ノード制御対応テーブル（拠点ノード制御時例）の一例を示す図である。
【図２１】通信機器基本情報テーブル（拠点ノード制御時例）の一例を示す図である。
【図２２】通信機器制御対応テーブル（拠点ノード制御時例）の一例を示す図である。
【図２３】通信機器ポート番号対応テーブル（拠点ノード制御時例）の一例を示す図である。
【図２４】拠点ノード状態格納データベース（ＭＩＢ）（拠点ノード制御時例）の一例を示す図である。
【符号の説明】
【００２８】
１０１：ネットワーク管理システム、１１１：広域通信網、１２１〜１２２：拠点、１３１〜１３２：ルータ、１４１−１〜１４１−２：スイッチ、１４２−１〜１４２−２：スイッチ、１５１〜１５２：管理エージェント、２０１：拠点ノード状態表示部、２０２：拠点ノード制御部、２０３：拠点ノード基本情報テーブル、２０４：拠点ノード制御対応テーブル、２０５：ＳＮＭＰマネージャ、２０６：各拠点ノード状態格納データベース、３０１：通信機器制御部、３０２：通信機器基本情報テーブル、３０３：通信機器制御対応テーブル、３０４：通信機器ポート番号対応テーブル、３０５：ＳＮＭＰマネージャ、３０６：ＳＮＭＰエージェント、３０７：拠点ノード状態格納データベース（ＭＩＢ）、４０１：拠点ノード稼動状態画面、５０１：拠点ノード制御画面、６０１：拠点ノード番号、６０２：管理エージェントアドレス、６０３：コミュニティ名、７０１：制御ＩＤ、７０２〜７０４：ＯＩＤ、７０５〜７０７：設定値、８０１：拠点ノード番号、８０２：拠点ノード稼動状態、９０１：通信機器制御機能、９１１：Ｔｅｌｎｅｔ、９１２：ＨＴＴＰ、９１３：ＦＴＰ、９１４：ＳＮＭＰ、１００１：機器ＩＤ、１００２：機器種別、１００３：機器アドレス、１００４：コミュニティ名、１００５：ログインＩＤ、１００６：パスワード、１１０１：制御ＩＤ、１１０２：機器ＩＤ、１１０３：プロトコル、１１０４：コマンド、１２０１：機器ＩＤ、１２０２：物理ポート番号、１２０３：稼動ポート番号、１３０１：ＭＩＢ名称、１３０２：ＯＩＤ、１３０３：設定値、１３０４：管理エージェント制御用ＭＩＢ、１３０５：管理エージェント状態用ＭＩＢ、１３０６：ルータ状態用ＭＩＢ、１３０７〜１３０８：スイッチ状態用ＭＩＢ、１４０１：各通信機器情報取得要求、１４０２：各通信機器情報取得応答、１４０３：拠点ノード状態格納、１４０４：各拠点ノード状態取得要求、１４０５：各拠点ノード状態取得応答、１４０６：各拠点ノード状態格納、１５０１：各通信機器状態変化通知、１５０２：拠点ノード状態格納、１５０３：拠点ノード状態監視、１５０４：拠点ノード状態変化通知、１５０５：各拠点ノード状態格納、１５０６：拠点ノード状態更新通知、１５０７：各拠点ノード状態表示更新、１６０１：拠点ノード制御指示、１６０２：拠点ノード状態更新指示、１６０３：拠点ノード状態更新指示、１６０４：拠点ノード状態更新結果通知、１６０５：拠点ノード状態変化監視、１６０６：通信機器制御コマンド実行、１６０７：コマンド実行結果応答、１６０８：コマンド実行結果通知、１６０９：コマンド実行結果通知、１６１０：コマンド実行結果通知
【図１】
2008117096.tif 000003
【図２】
2008117096.tif 000004
【図３】
2008117096.tif 000005
【図４】
2008117096.tif 000006
【図５】
2008117096.tif 000007
【図６】
2008117096.tif 000008
【図７】
2008117096.tif 000009
【図８】
2008117096.tif 000010
【図９】
2008117096.tif 000011
【図１０】
2008117096.tif 000012
【図１１】
2008117096.tif 000013
【図１２】
2008117096.tif 000014
【図１３】
2008117096.tif 000015
【図１４】
2008117096.tif 000016
【図１５】
2008117096.tif 000017
【図１６】
2008117096.tif 000018
【図１７】
2008117096.tif 000019
【図１８】
2008117096.tif 000020
【図１９】
2008117096.tif 000021
【図２０】
2008117096.tif 000022
【図２１】
2008117096.tif 000023
【図２２】
2008117096.tif 000024
【図２３】
2008117096.tif 000025
【図２４】
2008117096.tif 000026